(57)【要約】【課題】  梱包箱を封止した後であっても簡単に内容物の確認ができる梱包箱を提供する。【解決手段】  二組の対向する各一対の側面板５、６と、底面板７と、上面板２とが連設して形成された組み立て式の梱包箱であって、前記上面板２が、前記側面板から延出した対向するフラップ２ａ、２ｂにより形成され、該フラップ同士を突き合わせた状態で粘着テープ１１により封止して梱包するようにした梱包箱１において、前記粘着テープ１１により被覆されるフラップ２ａ、２ｂの少なくとも一部に、箱内部に貫通する穴部を設け、透明若しくは半透明の前記粘着テープにて前記穴部を封止して覗き窓１０とした。【選択図】      図１
2006069592.tif 000002
【特許請求の範囲】
【請求項１】
内容物の取出し時に開放される上面板を粘着テープで封止して梱包するようにした梱包箱において、
前記上面板のうち前記梱包箱の封止時に前記粘着テープで被覆される部位の少なくとも一部に、箱内部に貫通する穴部を設け、透明若しくは半透明の前記粘着テープにより前記上面板を封止するとともに前記穴部を封止して覗き窓を形成したことを特徴とする梱包箱。
【請求項２】
二組の対向する各一対の側面板と、底面板と、上面板とが連設して形成された組み立て式の梱包箱であって、前記上面板が、前記側面板から延出した対向する二組のフラップを内側に折曲することにより形成され、上側のフラップ同士を接合して該接合部を粘着テープにより封止して梱包するようにした梱包箱において、
前記二組のフラップの上側に位置する上側フラップのうち前記梱包箱の封止時に前記粘着テープにより被覆される部位の少なくとも一部に切り欠き部を設けるとともに、前記二組のフラップの下側に位置する下側フラップのうち前記上側フラップに相当する部位に穴部を設け、透明若しくは半透明の前記粘着テープにより前記上側フラップを封止するとともに、前記切り欠き部を封止して覗き窓を形成したことを特徴とする梱包箱。
【発明の詳細な説明】
【技術分野】
【０００１】
本発明は、段ボール等のシート材により形成される組み立て式の梱包箱に関し、特に、内容物を確認可能な覗き窓を備えた梱包箱に関するものである。
【背景技術】
【０００２】
従来、製品の運搬や保管には、段ボール等のシート材により形成される組み立て式の梱包箱が広く利用されている。
一般的な梱包箱は、図３に示されるように、長方形状の一枚のシート材の端部を接着して側面５、６を形成し、該側面５、６から夫々延出するフラップを内側に折り込んで底面７と上面２を形成した構成を有する。前記上面２は、対向する一対のフラップ２ｂ、２ｂを内側に折り込んだ後に、隣接する一対のフラップ２ａ、２ａを内側に折り込み、該フラップ２ａ、２ａの接合部を粘着テープ等で封止して形成される。梱包箱の大きさ、形状は収納する製品に応じて選択される。
【０００３】
このような梱包箱を用いて電子機器等の製品を梱包して出荷する際には、製品とともにマニュアルや保証書等の小物アクセサリを収納する場合がある。特許文献１（実開平５−８２８２５号公報）には、小物アクセサリ等を簡単に出し入れ可能とした梱包箱が提案されている。即ち、梱包箱の上面フラップの側面部に、小物アクセサリ等を出し入れ可能に収納するための小フラップを設けた構成としている。さらに、該小フラップは、ヒンジ部と手指挿入部とを有し、ミシン目に沿って切り開くことにより開閉できる蓋部を備えており、これにより輸送中の落下や振動で開くことがなく、かつ操作性の良い梱包箱とすることができる。
【０００４】
また、特許文献２（特開２００１−１０６２２２号広報）には、組立時に梱包箱の上側になる上面板の一部に欠損部を設け、さらに該梱包箱の上面板裏側に封筒状袋を貼着し、前記欠損部から該封筒状袋が露出する構成とした梱包箱を提案している。前記封筒状袋には保証書等が封入される。このような構成とすることにより、保証書等の取り出し、及び再挿入を容易にするとともに、保証書等の入った封筒の落下を防止することができる。
【０００５】
【特許文献１】実開平５−８２８２５号公報
【特許文献２】特開２００１−１０６２２２号広報
【発明の開示】
【発明が解決しようとする課題】
【０００６】
このように、従来よりユーザの操作性、利便性を考慮した梱包箱については種々提案されていた。しかしながら、製造側において、製品の梱包時にロット生産での作業者のミスや内容物の再確認等が発生すると、梱包箱の粘着テープを剥がして確認するなどの作業が発生しており、このような問題に対処する梱包箱については提案されていなかった。
従って、本発明はかかる従来技術の問題に鑑み、梱包箱を封止した後であっても簡単に内容物の確認ができる梱包箱を提供することを目的とする。
【課題を解決するための手段】
【０００７】
そこで、本発明はかかる課題を解決するために、内容物の取出し時に開放される上面板を粘着テープで封止して梱包するようにした梱包箱において、
前記上面板のうち前記梱包箱の封止時に前記粘着テープで被覆される部位の少なくとも一部に、箱内部に貫通する穴部を設け、透明若しくは半透明の前記粘着テープにより前記上面板を封止するとともに前記穴部を封止して覗き窓を形成したことを特徴とする梱包箱を提案する。
【０００８】
また、二組の対向する各一対の側面板と、底面板と、上面板とが連設して形成された組み立て式の梱包箱であって、前記上面板が、前記側面板から延出した対向する二組のフラップを内側に折曲することにより形成され、上側のフラップ同士を接合して該接合部を粘着テープにより封止して梱包するようにした梱包箱において、
前記二組のフラップの上側に位置する上側フラップのうち前記梱包箱の封止時に前記粘着テープにより被覆される部位の少なくとも一部に切り欠き部を設けるとともに、前記二組のフラップの下側に位置する下側フラップのうち前記上側フラップに相当する部位に穴部を設け、透明若しくは半透明の前記粘着テープにより前記上側フラップを封止するとともに、前記切り欠き部を封止して覗き窓を形成したことを特徴とする梱包箱を提案する。
【０００９】
前記上面板は、前記側面板から延出した対向する二組のフラップを箱内側に折り込むことにより形成され、上側に位置する２のフラップ同士が接合する箇所を粘着テープで封止するようにしている。このとき、前記粘着テープにより被覆される上側のフラップの少なくとも一部に、箱内部に貫通する切り欠き部を設け、下側に位置するフラップには前記上側フラップの切り欠き部に相当する位置に、同じ形状、同じ大きさの穴部を設ける。これにより、透明或いは半透明の粘着テープで梱包箱を封止した際に内容物を目視可能な覗き窓が形成される。
【００１０】
このように本発明によれば、梱包箱に覗き窓を設けることにより、製品の梱包後に作業者のミスや内容物の再確認等の問題が発生した場合においても、粘着テープを剥がして中を確認する必要がなく、前記覗き窓から簡単に内容物の目視確認ができる。従って、顧客先に搬送する前に、簡単に内容物の状態を確認することができ、信頼性が向上する。
また、梱包箱を封止する透明或いは半透明の粘着テープで覗き窓を被覆しているため、運搬、保管時にゴミ等の侵入を防ぐことができるとともに、梱包作業を容易化することができる。
【発明の効果】
【００１１】
以上のように本発明によれば、梱包箱を封止した後であっても簡単に内容物の確認ができる。また、透明或いは半透明の粘着テープにより梱包箱を封止する際に、同時に前記覗き窓を粘着テープにより被覆しているため梱包作業が容易化する。
【発明を実施するための最良の形態】
【００１２】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
本実施例は、段ボール等のシート材で形成された組立式の梱包箱であり、さらに梱包箱を封止した後であっても収納された製品、特にマニュアルや保証書等を簡単に確認可能な梱包箱を提案する。図１は本発明の実施例に係る梱包箱の外観斜視図であり、図２は図１の梱包箱を開梱した時の斜視図である。
【実施例１】
【００１３】
図１及び図２に示されるように、本実施例に係る梱包箱１は、二組の対向する各一対の側面板５、６と、底面板７と、上面板２とから構成される。これらは一枚の長方形状のシート材で形成される。該シート材は、例えば波形板の両面にライナが貼着された紙製又は樹脂性の段ボールであり、長手方向の端部を接着することにより前記側面板５、６が形成され、該側面５、６から上面板側及び底面板側に夫々延出する各４枚のフラップ２ａ、２ｂを内側に折込み、夫々底面板７及び上面板２を形成している。
【００１４】
前記上面板側の一組の下側フラップ２ｂは、内側に折り込んだ際に対向するフラップ同士が端縁で接するか、若しくはそれより短くなる辺長とし、一方他の一組の上側フラップ２ａは内側に折り込んだ際に対向するフラップ同士が端縁で接するような辺長とする。
前記上面板２は、前記下側フラップ２ｂを先に折り込み、上側フラップ２ａを後で折り込み上面側にし、該上側フラップ２ａ同士の接する端縁を粘着テープ１１で接着し、封止するようにする。前記粘着テープ１１は透明若しくは半透明であり、好適には光透過率を７０％以上有する樹脂等で形成されていると良い。
【００１５】
前記上側フラップ２ａは、側面板５に対向する端縁に半円状の切り欠き１０ａを設けている。該切り欠き１０ａは、対向するフラップ２ａ同士を突き合わせた時に円形となるような位置に設けられる。さらに、前記下側フラップ２ｂには、前記上側フラップ２ａにより形成される円形状の切り欠きと同じ位置に同様の円形状の穴部１０ｂが設けられている。
即ち、前記梱包箱１は、前記上側フラップ２ａ及び前記下側フラップ２ｂを折り込み、上面板２を形成した時に、円形状の覗き窓１０が設けられる構成となっている。尚、前記覗き窓１０は、円形状に限定されるものではなく、長方形状、正方形状、楕円形状等の何れでも良い。また、前記下側フラップ２ｂに設けられた穴部１０ｂは、梱包箱１の開封時に取っ手として機能するようにしても良い。
【００１６】
さらに、前記覗き窓１０は、前記上側フラップ２ａを粘着テープ１１により封止した時に、該粘着テープ１１により被覆される位置に設けるようにした。前記覗き窓１０は、該粘着テープ１１により被覆される位置であれば何れでも良く、また複数設けることもできる。好適には、梱包箱１に収納された製品を確認可能な位置、或いは収納されたマニュアルや保証書等を確認可能な位置に一又は複数設けると良い。
【００１７】
このように、梱包箱１に覗き窓１０を設けることにより、製品の梱包後に作業者のミスや内容物の再確認等の問題が発生した場合においても、粘着テープ１１を剥がして中を確認する必要がなく、簡単に内容物の確認ができる。従って、顧客先に搬送する前に、簡単に内容物の状態を確認することができ、信頼性が向上する。
また、梱包箱１を封止する粘着テープ１１で覗き窓１０を被覆しているため、運搬、保管時にゴミ等の侵入を防ぐことができるとともに、梱包作業を容易化することができる。
【産業上の利用可能性】
【００１８】
本発明の覗き窓により、梱包箱内に収納した製品の種類、色、品番等を確認可能であるとともに、製品のマニュアル、保証書等を収納する際に覗き窓から目視可能な位置に配置し、顧客先に運搬する直前にこれらの最終確認を行なうことにより、信頼性の高い運搬システムを構築することができる。
【図面の簡単な説明】
【００１９】
【図１】本発明の実施例に係る梱包箱の外観斜視図である。
【図２】本発明の実施例に係る梱包箱を開梱した時の斜視図である。
【図３】従来の梱包箱の斜視図である。
【符号の説明】
【００２０】
１    梱包箱
２    上面板
２ａ  上側フラップ
２ｂ  下側フラップ
５、６  側面板
７    底面板
１０  覗き窓
１０ａ  切り欠き部
１０ｂ  穴部
【図１】
2006069592.tif 000003
【図２】
2006069592.tif 000004
【図３】
2006069592.tif 000005